(57)【要約】【課題】  本発明は収納状態で倒立落下させた場合に、部品点数を増加させることなく、落下衝撃を吸収して、口紅等が皿部材から外れるのを効率よく阻止することができる口紅等の収納容器を得るにある。【解決手段】  軸心方向の切欠部、この切欠部の下部寄りの部位より軸心方向とほぼ直角方向に形成されたストッパー用切欠部が形成された筒部材と、この筒部材の外周部に配置された螺旋溝が形成された螺旋部材と、筒部材内に上下移動可能に収納された口紅等を支持する皿部材と、この皿部材に形成された筒部材の切欠部、下ストッパー用切欠部を通過し、螺旋部材の螺旋溝と係合する係合ピンを備える口紅等の収納容器において、筒部材の下部ストッパー用切欠部の上部位置に衝撃吸収用のスリットを形成して口紅等の収納容器を構成している。【選択図】  図２
2005111045.tif 000002
【特許請求の範囲】
【請求項１】
軸心方向の切欠部、この切欠部の下部寄りの部位より軸心方向とほぼ直角方向に形成されたストッパー用切欠部が形成された筒部材と、この筒部材の外周部に配置された螺旋溝が形成された螺旋部材と、前記筒部材内に上下移動可能に収納された口紅等を支持する皿部材と、この皿部材に形成された前記筒部材の切欠部、下ストッパー用切欠部を通過し、前記螺旋部材の螺旋溝と係合する係合ピンを備える口紅等の収納容器において、前記筒部材の下部ストッパー用切欠部の上部位置に衝撃吸収用のスリットを形成したことを特徴とする口紅等の収納容器。
【請求項２】
軸心方向の切欠部が形成された筒部材と、この筒部材の外周部に配置された下部にストッパー用係止部を有する螺旋溝が形成された螺旋部材と、前記筒部材内に上下移動可能に収納された口紅等を支持する皿部材と、この皿部材に形成された、前記筒部材の切欠部を通過して、前記螺旋部材の螺旋溝と係合する係合ピンを備える口紅等の収納容器において、前記螺旋部材の下部ストッパー用係止部の上部位置に衝撃吸収用スリットを形成したことを特徴とする口紅等の収納容器。
【発明の詳細な説明】
【技術分野】
【０００１】
本発明は口紅、リップクリーム、スチックアイシャドウ、スチックファンデーション等の棒状化粧品を収納する口紅等の収納容器に関する。
【背景技術】
【０００２】
従来の口紅収納容器は軸心方向の切欠部、この軸心方向の切欠部の上下部寄りの部位より軸心方向とほぼ直角方向に形成されたストッパー用切欠部が形成された筒部材と、この筒部材の外周部に配置された螺旋溝が形成された螺旋部材と、前記筒部材内に上下移動可能に収納された口紅を支持する皿部材と、この皿部材に形成された前記筒部材の切欠部を通過し、前記螺旋部材の螺旋溝と係合する係合ピンを備え、口紅の収納状態では前記係合ピンが下部ストッパー用切欠部に入り込むように構成されている。
【０００３】
このため、収納状態で倒立落下させた場合、落下衝撃によって口紅が皿部材より外れ、脱落する事故が発生しやすいという欠点があった。
【特許文献１】特開２００１−１６１４３７
【発明の開示】
【発明が解決しようとする課題】
【０００４】
本発明は以上のような従来の欠点に鑑み、収納状態で倒立落下させた場合に、部品点数を増加させることなく、落下衝撃を吸収して、口紅等が皿部材から外れるのを効率よく阻止することができる口紅等の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は軸心方向の切欠部、この切欠部の下部寄りの部位より軸心方向とほぼ直角方向に形成されたストッパー用切欠部が形成された筒部材と、この筒部材の外周部に配置された螺旋溝が形成された螺旋部材と、前記筒部材内に上下移動可能に収納された口紅等を支持する皿部材と、この皿部材に形成された前記筒部材の切欠部、下ストッパー用切欠部を通過し、前記螺旋部材の螺旋溝と係合する係合ピンを備える口紅等の収納容器において、前記筒部材の下部ストッパー用切欠部の上部位置に衝撃吸収用のスリットを形成して口紅等の収納容器を構成している。
【発明の効果】
【０００７】
以上の説明から明らかなように、本発明にあっては次に列挙する効果が得られる。
【０００８】
（１）筒部材の下部ストッパー用切欠部の上部位置に衝撃吸収用のスリットを形成したので、収納状態で倒立落下させた場合、落下衝撃を衝撃吸収用のスリットにより吸収し、口紅等が皿部材から外れるのを効率よく阻止することができる。
したがって、倒立落下による、不良品になったり、苦情を低下させることができる。
【０００９】
（２）前記（１）によって、衝撃吸収用のスリットを形成するだけでよいので、部品点数が増加することなく、かつ筒部材の加工時に同時に加工することができ、製造が容易で、安価に製造することができる。
【００１０】
（３）請求項２も前記（１）、（２）と同様な効果が得られる。
【発明を実施するための最良の形態】
【００１１】
以下、図面に示す本発明を実施するための最良の形態より、本発明を詳細に説明する。
【００１２】
図１ないし図４に示す本発明を実施するための最良の第１の形態において、１は本発明の口紅収納容器で、この口紅収納容器１は円筒状のハカマ部材２と、このハカマ部材２内に下端部が挿入固定された軸心方向の切欠部３、この切欠部３の上下部寄りの部位に軸心方向とほぼ直角方向のストッパー用切欠部４、５および下部ストッパー用切欠部５の上部位置に倒立落下時の衝撃を吸収する衝撃吸収用のスリット６を有する、金属材あるいは合成樹脂材製の筒部材７と、この筒部材７の外周部に配置された螺旋溝８が形成された螺旋部材９と、前記筒部材７内を上下移動可能に収納された口紅１０を支持する皿部材１１と、この皿部材１１に形成された前記筒部材７の切欠部３および、前記螺旋部材９の螺旋溝８と係合する係合ピン１２と、前記螺旋部材９の外周部を覆う下端部が前記ハカマ部材２内に挿入された、該螺旋部材９と一体的に回動する外筒部材１３と、この外筒部材１３を覆い前記ハカマ部材２のキャップ嵌合部１４と着脱可能に嵌合するキャップ１５とで構成されている。
【００１３】
上記構成の口紅収納容器１は、従来の口紅収納容器と同様にハカマ部材２と外筒部材１３とを持って回動させることにより、皿部材１１の係合ピン１２が螺旋部材９の螺旋溝８および筒部材７の切欠部３によって上下方向へ移動して、口紅１０を外筒部材１３の上端部より出没させて使用することができる。
また、収納状態では係合ピン１２は筒部材７の下部ストッパー用切欠部５内に入り込んだ状態になっており、この状態で倒立落下させた場合には、筒部材７の衝撃吸収用のスリット６によって、皿部材１１の係合ピン１２に加わる衝撃を吸収し、皿部材１１から口紅１０が外れるのを効率よく阻止することができる。
なお、筒部材７を合成樹脂材製を用いることにより、より衝撃をやわらかく吸収することができる。
[発明を実施するための異なる形態]
【００１４】
次に、図５ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１５】
図５ないし図７に示す本発明を実施するための第２の形態において、前記本発明を実施するための最良の第１の形態と主に異なる点は、下部ストッパー用切欠部５の上部側にスリット１６を形成し、衝撃吸収部が舌片１７状になるように筒部材７Ａを形成した点で、このように形成された筒部材７Ａを用いて構成した口紅収納容器１Ａにしても、前記本発明を実施するための最良の第１の形態と同様な作用効果が得られるとともに、よりやわらかく衝撃を吸収することができる。
【００１６】
図８ないし図１０に示す本発明を実施するための第３の形態において、前記本発明を実施するための最良の第１の形態と主に異なる点は、下部ストッパー用切欠部を形成していない筒部材７Ｂと、下部にストッパー用切欠部１８が形成された螺旋溝８および、該下部ストッパー用切欠部１８の上部位置に衝撃吸収用のスリット６Ａを形成した螺旋部材９Ａを用いた点で、このように構成した口紅収納容器１Ｂにしても、前記本発明を実施するための最良の第１の形態と同様な作用効果が得られる。
【００１７】
図１１ないし図１３に示す本発明を実施するための第４の形態において、前記本発明を実施するための第３の形態と主に異なる点は、下部ストッパー用切欠部５よりも上部に上部が位置する下部ストッパー用切欠部１８Ａを形成した筒部材７Ｃを用いた点で、このように形成された筒部材７Ｃを用いて構成した口紅収納容器１Ｃにしても、前記本発明を実施するための第３の形態と同様な作用効果が得られる。
【００１８】
図１４ない図１６に示す本発明を実施するための第５の形態において、前記本発明を実施するための第３の形態と主に異なる点は、合成樹脂材で内壁面に螺旋溝８およびスリット６Ａと対応する部位の螺旋溝部８および下部ストッパー用切欠部１８を溝になるように形成した螺旋部材９Ｂを用いた点で、このような螺旋部材９Ｂを用いて構成した口紅収納容器１Ｄにしても、前記本発明を実施するための第３の形態と同様な作用効果が得られる。
【００１９】
図１７ないし図１９に示す本発明を実施するための第６の形態において、前記本発明を実施するための最良の第１の形態と主に異なる点は、ハカマ部材２内に位置する部位に螺旋部材９Ｃを設置するとともに、切欠部３、下部ストッパー用切欠部５および衝撃吸収のスリット６を形成した筒部材７Ｄを用いた点で、このように構成した口紅収納容器１Ｅにしても、前記本発明を実施するための最良の第１の形態と同様な作用効果が得られる。
【００２０】
なお、前記本発明を実施するための各形態では口紅収納容器について説明したが、本発明はこれに限らず、皿部材にリップクリーム、スチックアイシャドウ、スチックファンデーション等の棒状化粧品を支持させても、同様に使用することができる。
【産業上の利用可能性】
【００２１】
本発明は口紅等の収納容器を製造する産業、およびこれらを使用する産業で利用される。
【図面の簡単な説明】
【００２２】
【図１】本発明を実施するための最良の第１の形態の縦断面図。
【図２】本発明を実施するための最良の第１の形態の一部破断正面図。
【図３】本発明を実施するための最良の第１の形態の筒部材の説明図。
【図４】本発明を実施するための最良の第１の形態の倒立落下時の説明図。
【図５】本発明を実施するための第２の形態の縦断面図。
【図６】本発明を実施するための第２の形態の一部破断正面図。
【図７】本発明を実施するための第２の形態の筒部材の説明図。
【図８】本発明を実施するための第３の形態の縦断面図。
【図９】本発明を実施するための第３の形態の一部破断正面図。
【図１０】本発明を実施するための第３の形態の螺旋部材の説明図。
【図１１】本発明を実施するための第４の形態の縦断面図。
【図１２】本発明を実施するための第４の形態の一部破断正面図。
【図１３】本発明を実施するための第４の形態の筒部材の説明図。
【図１４】本発明を実施するための第５の形態の縦断面図。
【図１５】本発明を実施するための第５の形態の一部破断正面図。
【図１６】本発明を実施するための第５の形態の螺旋部材の説明図。
【図１７】本発明を実施するための第６の形態の縦断面図。
【図１８】本発明を実施するための第６の形態の一部破断正面図。
【図１９】本発明を実施するための第６の形態の筒部材の説明図。
【符号の説明】
【００２３】
１、１Ａ、１Ｂ、１Ｃ、１Ｄ、１Ｅ：口紅収納容器、
２：ハカマ部材、                            ３：切欠部、
４：上部ストッパー用切欠部、  ５：下部ストッパー用切欠部、
６、６Ａ：衝撃吸収用のスリット、
７、７Ａ、７Ｂ、７Ｃ、７Ｄ：筒部材、
８：螺旋溝、
９、９Ａ、９Ｂ、９Ｃ：螺旋部材、
１０：口紅、                              １１：皿部材、
１２：係合ピン、                          １３：外筒部材、
１４：キャップ嵌合部、                    １５：キャップ、
１６：スリット、                          １７：舌片、
１８、１８Ａ：ストッパー用切欠部。
【図１】
2005111045.tif 000003
【図２】
2005111045.tif 000004
【図３】
2005111045.tif 000005
【図４】
2005111045.tif 000006
【図５】
2005111045.tif 000007
【図６】
2005111045.tif 000008
【図７】
2005111045.tif 000009
【図８】
2005111045.tif 000010
【図９】
2005111045.tif 000011
【図１０】
2005111045.tif 000012
【図１１】
2005111045.tif 000013
【図１２】
2005111045.tif 000014
【図１３】
2005111045.tif 000015
【図１４】
2005111045.tif 000016
【図１５】
2005111045.tif 000017
【図１６】
2005111045.tif 000018
【図１７】
2005111045.tif 000019
【図１８】
2005111045.tif 000020
【図１９】
2005111045.tif 000021